(57)【要約】【課題】ステータコイルの絶縁性を十分に確保しながら、ステータコイルを効率良く冷却することができる回転電機を提供すること。【解決手段】回転電機１は、ロータシャフト２１とロータコア２２とを有するロータ２と、ステータコア３１と一対のコイルエンド部３２１、３２２を形成してなるステータコイル３２とを有するステータ３と、ロータシャフト２１に固定され、内部に冷媒通路６１が設けられた冷媒通路部材５とを備えている。冷媒通路６１には、冷媒Ａを吐出する吐出口６１２が形成されており、吐出口６１２は、ステータコイル３２のコイルエンド部３２１、３２２に対して径方向外側に向かって開口している。冷媒通路部材５には、フィルタ部材７が設けられている。冷媒通路部材５は、ロータ２の回転によってロータシャフト２１と共に回転することにより、冷媒Ａがフィルタ部材７を通過して冷媒通路６１の吐出口６１２から吐出されるよう構成されている。【選択図】図１
2014087123.tif 000002
【特許請求の範囲】
【請求項１】
ロータシャフトと、該ロータシャフトに固定されたロータコアとを有するロータと、
上記ロータコアの外周側に配設されたステータコアと、該ステータコアに巻回されると共に該ステータコアの軸方向両端面から突出した一対のコイルエンド部を形成してなるステータコイルとを有するステータと、
上記ロータコアの少なくとも軸方向一方側に配設されると共に上記ロータシャフトに固定され、内部に冷媒を流通させる冷媒通路が設けられた冷媒通路部材とを備え、
該冷媒通路部材の上記冷媒通路には、冷媒を吐出する吐出口が形成されており、
該吐出口は、上記ステータコイルの軸方向一方側の上記コイルエンド部に対して径方向外側に向かって開口しており、
上記冷媒通路部材には、フィルタ部材が設けられており、
上記冷媒通路部材は、上記ロータの回転によって上記ロータシャフトと共に回転することにより、冷媒が上記フィルタ部材を通過して上記冷媒通路の上記吐出口から吐出されるよう構成されていることを特徴とする回転電機。
【請求項２】
請求項１に記載の回転電機において、上記フィルタ部材は、網目状に形成されていることを特徴とする回転電機。
【請求項３】
請求項１又は２に記載の回転電機において、上記フィルタ部材は、少なくとも一部が上記冷媒通路部材の上記冷媒通路内に配置されていることを特徴とする回転電機。
【請求項４】
請求項１〜３のいずれか１項に記載の回転電機において、上記ロータの軸方向一端側には、該ロータの回転位置を検出する回転位置検出手段が配設されており、上記冷媒通路部材は、非磁性体からなり、上記ステータと上記回転位置検出手段との間の少なくとも一部に配設されていることを特徴とする回転電機。
【請求項５】
請求項１〜４のいずれか１項に記載の回転電機において、上記ロータの軸方向一端側には、該ロータの回転位置を検出する回転位置検出手段が配設されており、上記フィルタ部材は、磁性体からなることを特徴とする回転電機。
【発明の詳細な説明】
【技術分野】
【０００１】
本発明は、ハイブリッド自動車、電気自動車等の車両等に搭載される回転電機に関する。
【背景技術】
【０００２】
ハイブリッド自動車、電気自動車等に用いられるモータ等の回転電機は、例えば、ロータシャフトと該ロータシャフトに固定されたロータコアとを有するロータと、ロータコアの外周側に配設されたステータコアと該ステータコアに巻回されたステータコイルとを有するステータとを備えている。また、ステータコイルには、ステータコアの軸方向両端面から突出した一対のコイルエンド部が形成されている。
【０００３】
従来、回転電機においては、通電によって発熱するステータコイルを冷却するための構造が提案されている。
例えば、特許文献１には、ロータコアの軸方向両側に配設されたエンドプレートの内部に冷媒通路を設け、ロータの回転によって生じる遠心力により、冷媒をエンドプレートに設けた冷媒通路からステータコイルのコイルエンド部に向かって飛ばし、ステータコイルを冷却する回転電機が開示されている。
【先行技術文献】
【特許文献】
【０００４】
【特許文献１】特許第４４６９６７０号公報
【発明の概要】
【発明が解決しようとする課題】
【０００５】
しかしながら、上記特許文献１に開示された回転電機において、ステータコイルの表面は、絶縁被膜等によって被覆されている。そのため、絶縁性油等の冷媒中に金属異物（例えば、摩耗粉、残留異物等）等が含まれていると、ロータの回転による遠心力によって勢い良く飛ばされた冷媒によってステータコイルのコイルエンド部が傷付き、ステータコイルの絶縁性を十分に確保することが困難となるおそれがあった。
【０００６】
本発明は、かかる背景に鑑みてなされたもので、ステータコイルの絶縁性を十分に確保しながら、ステータコイルを効率良く冷却することができる回転電機を提供しようとするものである。
【課題を解決するための手段】
【０００７】
本発明の一の態様は、ロータシャフトと、該ロータシャフトに固定されたロータコアとを有するロータと、
上記ロータコアの外周側に配設されたステータコアと、該ステータコアに巻回されると共に該ステータコアの軸方向両端面から突出した一対のコイルエンド部を形成してなるステータコイルとを有するステータと、
上記ロータコアの少なくとも軸方向一方側に配設されると共に上記ロータシャフトに固定され、内部に冷媒を流通させる冷媒通路が設けられた冷媒通路部材とを備え、
該冷媒通路部材の上記冷媒通路には、冷媒を吐出する吐出口が形成されており、
該吐出口は、上記ステータコイルの軸方向一方側の上記コイルエンド部に対して径方向外側に向かって開口しており、
上記冷媒通路部材には、フィルタ部材が設けられており、
上記冷媒通路部材は、上記ロータの回転によって上記ロータシャフトと共に回転することにより、冷媒が上記フィルタ部材を通過して上記冷媒通路の上記吐出口から吐出されるよう構成されていることを特徴とする回転電機にある（請求項１）。
【発明の効果】
【０００８】
上記回転電機は、ロータシャフトに固定され、内部に冷媒通路が設けられた冷媒通路部材を備えている。また、冷媒通路の吐出口は、ステータコイルのコイルエンド部に対して径方向外側に向かって開口している。そのため、冷媒通路部材がロータの回転によってロータシャフトと共に回転することにより、その遠心力によって冷媒通路部材の冷媒通路の吐出口から冷媒がステータコイルのコイルエンド部に向かって吐出される。これにより、発熱するステータコイルを効率良く冷却することができる。
【０００９】
また、冷媒通路部材には、フィルタ部材が設けられている。そして、冷媒通路部材は、ロータの回転によってロータシャフトと共に回転することにより、冷媒がフィルタ部材を通過して冷媒通路の吐出口から吐出されるよう構成されている。すなわち、ロータの回転によって生じる遠心力により、冷媒通路部材の冷媒通路の吐出口からステータコイルのコイルエンド部に向かって吐出される冷媒は、フィルタ部材を通過し、冷媒中に含まれる金属異物（例えば、摩耗粉、残留異物等）等が除去（ろ過）されたものとなる。これにより、遠心力により勢い良く飛ばされた冷媒によってステータコイルのコイルエンド部が傷付くことを抑制することができる。その結果、ステータコイルの絶縁性を十分に確保しながら、ステータコイルを効率良く冷却することができる。
【００１０】
このように、ステータコイルの絶縁性を十分に確保しながら、ステータコイルを効率良く冷却することができる回転電機を提供することができる。
【図面の簡単な説明】
【００１１】
【図１】実施例１における、回転電機の構成を示す断面説明図。
【図２】実施例１における、回転電機の組み付け工程を示す断面説明図。
【図３】実施例２における、冷媒通路部材の構成を示す断面説明図。
【図４】実施例３における、冷媒通路部材の構成を示す断面説明図。
【図５】実施例４における、冷媒通路部材の構成を示す断面説明図。
【発明を実施するための形態】
【００１２】
上記回転電機において、上記冷媒通路部材は、上記ロータコアの少なくとも軸方向一方側に配設されている。したがって、冷媒通路部材は、ロータコアの軸方向一方側にのみ配設されていてもよいし、ロータコアの軸方向両側に配設されていてもよい。
【００１３】
また、上記冷媒通路部材は、上記ロータの回転によって上記ロータシャフトと共に回転することにより、冷媒が上記フィルタ部材を通過して上記冷媒通路の上記吐出口から吐出されるよう構成されている。例えば、冷媒がフィルタ部材を通過した後に冷媒通路を通って吐出口から吐出されるようにしてもよいし、冷媒が冷媒通路の途中でフィルタ部材を通過して吐出口から吐出されるようにしてもよい。
【００１４】
また、上記フィルタ部材は、網目状に形成されていることが望ましい（請求項２）
この場合には、冷媒をフィルタ部材に通過させたときに、フィルタ部材によって冷媒中に含まれる金属異物（例えば、摩耗粉、残留異物等）等を容易に除去（ろ過）することができる。
なお、上記フィルタ部材は、冷媒中に含まれる金属異物等を除去（ろ過）することができれば、網目状以外のものであってもよい。
【００１５】
また、上記フィルタ部材は、少なくとも一部が上記冷媒通路部材の上記冷媒通路内に配置されている構成とすることができる（請求項３）。
この場合には、冷媒をフィルタ部材に確実に通過させることができる。また、フィルタ部材を通過した冷媒を確実に冷媒通路の吐出口から吐出させることができる。
【００１６】
また、上記ロータの軸方向一端側には、該ロータの回転位置を検出する回転位置検出手段が配設されており、上記冷媒通路部材は、非磁性体からなり、上記ステータと上記回転位置検出手段との間の少なくとも一部を遮るように配設されている構成とすることができる（請求項４）。
この場合には、ステータ（特にステータコイル）から回転位置検出手段に入ってくる電磁波を両者の間に配設された冷媒通路部材によって遮蔽（シールド）することができる。これにより、電磁波によって回転位置検出手段の検出精度が低下することを抑制することができる。
【００１７】
また、上記冷媒通路部材を構成する非磁性体としては、例えば、アルミニウム、銅及びこれらの合金等を用いることができる。アルミニウム合金としては、例えば、Ａ５０５２、Ａ６０６１、Ａ７０７５等のアルミニウム屈伸材、ＡＤＣ１０、ＡＤＣ１２等のアルミニウムダイカスト材、ＡＣ２Ｂ、ＡＣ４Ｃ等のアルミニウム鋳物等を用いることができる。
また、上記回転位置検出手段としては、例えば、上記ロータシャフトに固定されたレゾルバロータと該レゾルバロータに対向して配設されたレゾルバステータとからなるレゾルバ等を用いることができる。
【００１８】
また、上記ロータの軸方向一端側には、該ロータの回転位置を検出する回転位置検出手段が配設されており、上記フィルタ部材は、磁性体からなる構成とすることができる（請求項５）。
この場合には、ステータコイルからの漏れ磁束をフィルタ部材によって誘導、吸収し、漏れ磁束が回転位置検出手段へ入ることを抑制することができる。これにより、漏れ磁束によって回転位置検出手段の検出精度が低下することを抑制することができる。
また、上記フィルタ部材を構成する磁性体としては、例えば、鉄（構造用鋼、炭素鋼、ばね鋼等）等を用いることができる。
【実施例】
【００１９】
（実施例１）
上記回転電機にかかる実施例について図を用いて説明する。
本例の回転電機１は、図１に示すごとく、ロータシャフト２１とロータシャフト２１に固定されたロータコア２２とを有するロータ２と、ロータコア２２の外周側に配設されたステータコア３１とステータコア３１に巻回されると共にステータコア３１の軸方向両端面から突出した一対のコイルエンド部３２１、３２２を形成してなるステータコイル３２とを有するステータ３と、ロータコア２２の少なくとも軸方向一方側Ｘ１に配設されると共にロータシャフト２１に固定され、内部に冷媒Ａを流通させる冷媒通路６１が設けられた冷媒通路部材５とを備えている。
【００２０】
同図に示すごとく、冷媒通路部材５の冷媒通路６１には、冷媒Ａを吐出する吐出口６１２が形成されており、吐出口６１２は、ステータコイル３２の軸方向一方側Ｘ１のコイルエンド部３２１に対して径方向外側に向かって開口している。
また、冷媒通路部材５には、フィルタ部材７が設けられており、冷媒通路部材５は、ロータ２の回転によってロータシャフト２１と共に回転することにより、冷媒Ａがフィルタ部材７を通過して冷媒通路６１の吐出口６１２から吐出されるよう構成されている。
以下、これを詳説する。
【００２１】
本例の回転電機１は、図１に示すごとく、ハイブリッド自動車、電気自動車等のモータ等に用いられるものであり、ロータ２とステータ３とを備えている。
ロータ２は、円筒状のロータシャフト２１と、ロータシャフト２１の外周面に固定された円筒状のロータコア２２とを有する。ロータシャフト２１は、その軸方向両端部２１１、２１２の外周面に設けたベアリング１３を介して、ロータ２及びステータ３を収容するハウジング１０に回転可能に配設されている。ロータコア２２は、円環状の珪素鋼板を軸方向Ｘに複数積層して構成されている。
【００２２】
ステータ３は、ロータコア２２の径方向外側を覆うように配設された円筒状のステータコア３１と、ステータコア３１に巻回されたステータコイル３２とを有する。ステータコア３１は、円環状の珪素鋼板を軸方向Ｘに複数積層して構成されている。また、ステータコア３１は、後述するハウジング１０のハウジング本体部１１に固定されている。ステータコイル３２は、ステータコア３１の軸方向両端面からそれぞれ軸方向一方側Ｘ１及び軸方向他方側Ｘ２に突出したコイルエンド部３２１、３２２を有する。また、ステータコイル３２の表面は、絶縁被膜等によって被覆されている。
【００２３】
同図に示すごとく、ロータ２の軸方向一端側には、ロータ２の回転位置（回転角）を検出する回転位置検出手段としてのレゾルバ４が配設されている。
レゾルバ４は、ロータシャフト２１の軸方向一端部２１１の外周面に固定された円筒状のレゾルバロータ４１と、レゾルバロータ４１の外周側に配設されたレゾルバステータ４２とからなる。
【００２４】
レゾルバロータ４１は、円環状の珪素鋼板を軸方向Ｘに複数積層して構成されている。レゾルバステータ４２は、後述するハウジング１０のカバー部１２に固定されている。また、レゾルバステータ４２は、レゾルバロータ４１の径方向外側を覆うように配設された円筒状のレゾルバステータコア４２１と、レゾルバステータコア４２１に巻回されたレゾルバステータコイル４２２とを有する。
【００２５】
同図に示すごとく、ハウジング１０は、ロータ２及びステータ３の軸方向他方側Ｘ２及び径方向外側を覆うハウジング本体部１１と、軸方向一方側Ｘ１を覆うカバー部１２とを有する。カバー部１２は、非磁性体であるアルミニウムからなる。また、カバー部１２は、レゾルバ４を径方向外側から覆う突起部１２１を有する。突起部１２１は、カバー部１２からロータコア２２に向かって軸方向Ｘに突出している。また、突起部１２１の径方向内側面には、レゾルバステータ４２（レゾルバステータコア４２１）が固定されている。
【００２６】
同図に示すごとく、ロータコア２２の軸方向一方側Ｘ１及び軸方向他方側Ｘ２には、それぞれ冷媒通路部材５（５ａ、５ｂ）が配設されている。
冷媒通路部材５ａ、５ｂは、ロータシャフト２１の外周面において、それぞれロータコア２２の軸方向一方側Ｘ１及び軸方向他方側Ｘ２に固定されている。また、冷媒通路部材５ａは、非磁性体であるアルミニウムからなり、ステータ３とレゾルバ４との間を遮るように配設されている。
【００２７】
また、冷媒通路部材５ａ（５ｂ）は、ロータシャフト２１の外周面から径方向に延びる円環状の支持部５１と、支持部５１の先端から軸方向一方側Ｘ１（軸方向他端側Ｘ２）に突出する円筒状の突出部５２とを有する。
突出部５２には、その突出部５２を径方向に貫通するように冷媒通路６１が設けられている。冷媒通路６１には、冷媒Ａを導入する導入口６１１と冷媒Ａを吐出する吐出口６１２とが形成されている。吐出口６１２は、ステータコイル３２の軸方向一方側Ｘ１（軸方向他方側Ｘ２）のコイルエンド部３２１（３２２）に対して径方向外側に向かって開口している。
【００２８】
また、突出部５２には、軸方向Ｘに切り込まれたスリット５２１が形成されている。スリット５２１内には、網目状（メッシュ状）のフィルタ部材７（７ａ、７ｂ）が配置されている。フィルタ部材７ａ、７ｂは、磁性体である構造用鋼からなる。また、フィルタ部材７ａ、７ｂは、冷媒通路６１を軸方向Ｘに横切るように配置されている。すなわち、フィルタ部材７ａ、７ｂは、冷媒通路６１を通過する冷媒Ａが必ず通過するように、またフィルタ部材７ａ、７ｂを通過した冷媒Ａが冷媒通路６１の吐出口６１２から吐出されるように配置されている。
【００２９】
一方、支持部５１には、冷媒Ａを突出部５２の冷媒通路６１に案内するための案内通路６０が設けられている。案内通路６０は、支持部５１の内部において、ロータシャフト２１の外周面から径方向に形成され、途中で軸方向一方側Ｘ１（軸方向他方側Ｘ２）に折れ曲がって形成されている。また、案内通路６０は、ロータシャフト２１を径方向に貫通する貫通孔２１９に連通している。冷媒Ａは、ロータシャフト２１の内部から貫通孔２９１を介して案内通路６０に導入される。
【００３０】
そして、冷媒通路部材５ａ、５ｂは、ロータ２の回転によってロータシャフト２１と共に回転する。一方で、冷媒Ａは、ロータ２の回転によって生じる遠心力により、ロータシャフト２１の内部から連通孔２１９を通って案内通路６０に導入される。そして、案内通路６０から排出された冷媒Ａは、導入口６１１から冷媒通路６１に導入され、冷媒通路６１の途中でフィルタ部材７ａ、７ｂを通過し、吐出口６１２から吐出される。吐出口６１２から吐出された冷媒Ａは、ステータコイル３２のコイルエンド部３２１、３２２に向かって飛ばされ、コイルエンド部３２１、３２２に接触する。
【００３１】
次に、本例の回転電機１の組み付け工程について簡単に説明する。
本例では、図２に示すごとく、ロータシャフト２１に、ロータコア２２、レゾルバ４のレゾルバロータ４１及び冷媒通路部材５（５ａ、５ｂ）を固定する。また、ハウジング本体部１１に、ステータ３（ステータコア３１、ステータコイル３２）を固定する。そして、ロータシャフト２１をハウジング本体部１１に組み付ける。一方では、カバー部１２の突起部１２１に、レゾルバ４のレゾルバステータ４２を固定する。
次いで、ハウジング本体部１１の軸方向一方側Ｘ１をカバー部１２で覆うように、ハウジング本体部１１とカバー部１２とを組み付ける。
これにより、図１に示す回転電機１を得る。
【００３２】
次に、本例の回転電機１における作用効果について説明する。
本例の回転電機１は、ロータシャフト２１に固定され、内部に冷媒通路６１が設けられた冷媒通路部材５（５ａ、５ｂ）を備えている。また、冷媒通路６１の吐出口６１２は、ステータコイル３２のコイルエンド部３２１、３２２に対して径方向外側に向かって開口している。そのため、冷媒通路部材５ａ、５ｂがロータ２の回転によってロータシャフト２１と共に回転することにより、その遠心力によって冷媒通路部材５ａ、５ｂの冷媒通路６１の吐出口６１２から冷媒Ａがステータコイル３２のコイルエンド部３２１、３２２に向かって吐出される。これにより、発熱するステータコイル３２を効率良く冷却することができる。
【００３３】
また、冷媒通路部材５ａ、５ｂには、フィルタ部材７（７ａ、７ｂ）が設けられている。そして、冷媒通路部材５ａ、５ｂは、ロータ２の回転によってロータシャフト２１と共に回転することにより、冷媒Ａがフィルタ部材７ａ、７ｂを通過して冷媒通路６１の吐出口６１２から吐出されるよう構成されている。すなわち、ロータ２の回転によって生じる遠心力により、冷媒通路部材５ａ、５ｂの冷媒通路６１の吐出口６１２からステータコイル３２のコイルエンド部３２１、３２２に向かって吐出される冷媒Ａは、フィルタ部材７ａ、７ｂを通過し、冷媒Ａ中に含まれる金属異物（摩耗粉、残留異物等）等が除去（ろ過）されたものとなる。これにより、遠心力により勢い良く飛ばされた冷媒Ａによってステータコイル３２のコイルエンド部３２１、３２２が傷付くことを抑制することができる。その結果、ステータコイル３２の絶縁性を十分に確保しながら、ステータコイル３２を効率良く冷却することができる。
【００３４】
また、本例において、冷媒通路部材５（５ａ、５ｂ）は、ロータコア２２の軸方向両側（軸方向一方側Ｘ１及び軸方向他方側Ｘ２）に配設されている。そのため、冷媒通路部材５ａ、５ｂの冷媒通路６１の吐出口６１２から吐出された冷媒Ａによって、ステータコイル３２の軸方向両側のコイルエンド部３２１、３２２を冷却することができる。これにより、ステータコイル３２をより一層効率良く冷却することができる。
【００３５】
また、フィルタ部材７（７ａ、７ｂ）は、網目状（メッシュ状）に形成されている。そのため、冷媒Ａをフィルタ部材７ａ、７ｂに通過させたときに、フィルタ部材７ａ、７ｂによって冷媒Ａ中に含まれる金属異物等を容易に除去（ろ過）することができる。
【００３６】
また、ロータ２の軸方向一端側には、ロータ２の回転位置を検出するレゾルバ（回転位置検出手段）４が配設されている。また、冷媒通路部材５ａは、非磁性体からなり、ステータ３とレゾルバ４との間の少なくとも一部を遮るように配設されている。そのため、ステータ３（特にステータコイル３２）からレゾルバ４に入ってくる電磁波を両者の間に配設された冷媒通路部材５ａによって遮蔽（シールド）することができる。これにより、電磁波によってレゾルバ４の検出精度が低下することを抑制することができる。
また、本例では、レゾルバ４の軸方向一方側Ｘ１や径方向外側を覆っているカバー部１２も非磁性体からなるため、レゾルバ４に入ってくる電磁波をカバー部１２によっても遮蔽（シールド）することができる。
【００３７】
また、フィルタ部材７ａは、磁性体からなる。そのため、ステータコイル３２からの漏れ磁束をフィルタ部材７ａによって誘導、吸収し、漏れ磁束がレゾルバ４へ入ることを抑制することができる。これにより、漏れ磁束によってレゾルバ４の検出精度が低下することを抑制することができる。
【００３８】
このように、本例によれば、ステータコイル３２の絶縁性を十分に確保しながら、ステータコイル３２を効率良く冷却することができる回転電機１を提供することができる。
【００３９】
（実施例２）
本例は、図３に示すごとく、冷媒通路部材５の構成を変更した例である。なお、本例では、ロータコア２２の軸方向一方側Ｘ１に設けた冷媒通路部材５ａについて説明する。
同図に示すごとく、冷媒通路部材５ａの支持部５１には、その支持部５１を径方向に貫通するように冷媒通路６１が設けられている。また、支持部５１には、軸方向Ｘに切り込まれたスリット５１１が形成されている。スリット５１１内には、網目状（メッシュ状）のフィルタ部材７（７ａ）が配置されている。フィルタ部材７ａは、冷媒通路６１を軸方向Ｘに横切るように配置されている。
【００４０】
また、冷媒通路６１の導入口６１１は、ロータシャフト２１を径方向に貫通する貫通孔２１９に連通している。また、冷媒Ａは、ロータシャフト２１の内部から貫通孔２９１を介して導入口６１１から冷媒通路６１に導入され、冷媒通路６１の途中でフィルタ部材７ａを通過し、吐出口６１２から吐出される。
その他の基本的な構成及び作用効果は、実施例１と同様である。
【００４１】
（実施例３）
本例は、図４に示すごとく、冷媒通路部材５の構成を変更した例である。なお、本例では、ロータコア２２の軸方向一方側Ｘ１に設けた冷媒通路部材５ａについて説明する。
同図に示すごとく、冷媒通路部材５ａの支持部５１の先端部には、フィルタ部材７（７ａ）が埋め込まれている。フィルタ部材７ａは、ネジ等によって固定されている。また、フィルタ部材７ａは、冷媒通路６１の吐出口６１２の手前に配設されている。
その他の基本的な構成及び作用効果は、実施例２と同様である。
【００４２】
（実施例４）
本例は、図５に示すごとく、冷媒通路部材５の構成を変更した例である。なお、本例では、ロータコア２２の軸方向一方側Ｘ１に設けた冷媒通路部材５ａについて説明する。
同図に示すごとく、冷媒通路部材５ａにおける冷媒通路６１の吐出口６１２の径方向内側には、フィルタ部材７（７ａ）が配設されている。すなわち、冷媒通路部材５ａの突出部５２の径方向内側に、フィルタ部材７ａが配設されている。また、ロータシャフト２１の貫通孔２１９は、冷媒通路部材５ａの支持部５１の軸方向一方側Ｘ１に形成されている。
【００４３】
そして、冷媒Ａは、ロータ２の回転によって生じる遠心力により、ロータシャフト２１の内部から連通孔２１９を通り、冷媒通路部材５ａの支持部５１の軸方向一方側Ｘ１の表面に沿って径方向に流れる。そして、フィルタ部材７ａを通過した後、導入口６１１から冷媒通路６１に導入され、吐出口６１２から吐出される。
その他の基本的な構成及び作用効果は、実施例１と同様である。
【符号の説明】
【００４４】
１  回転電機
２  ロータ
２１  ロータシャフト
２２  ロータコア
３  ステータ
３１  ステータコア
３２  ステータコイル
３２１、３２２  コイルエンド部
５  冷媒通路部材
６１  冷媒通路
６１２  吐出口
７  フィルタ部材
Ａ  冷媒
【図１】
2014087123.tif 000003
【図２】
2014087123.tif 000004
【図３】
2014087123.tif 000005
【図４】
2014087123.tif 000006
【図５】
2014087123.tif 000007